(57)【特許請求の範囲】
【請求項１】
側面および底面を有する容器本体、前記容器本体内に配置された、複数の孔が形成された中皿、および、蓋から構成されるパウダー容器であって、
前記容器本体の内部は前記中皿によって、下方のパウダー収容部と、上方の化粧用具収容部とに分割され、
前記容器本体の側面の上端に、前記蓋の下面と密着するリング状のシール部が取り付けられており、
前記シール部は弾性を有し、前記容器本体の内側に向かって上方に傾斜するように延伸された鍔部、および、前記容器本体の側面の上端に設けられた第１係合部と係合する第２係合部を有し、
前記シール部は前記容器本体の側面の内側面と当接する円筒部を有し、前記円筒部の上端の外側に前記第２係合部が設けられ、前記鍔部は、前記円筒部の上端から内側に向かって上方に突出するように形成されており、前記蓋を閉じると、前記鍔部の先端は前記蓋の下面と当接して下方に変形し、
前記中皿は底面および側面を有し、前記側面の上端には外側に突出する突出部が形成されており、前記中皿は、前記容器本体の内側面に形成された段差に前記中皿の突出部が載せられ、前記突出部の上に前記シール部の円筒部の下端が位置した状態で、前記容器本体内に配置されていることを特徴とするパウダー容器。
【請求項２】
側面および底面を有する容器本体、前記容器本体内に配置された、複数の孔が形成された中皿、および、蓋から構成されるパウダー容器であって、
前記容器本体の内部は前記中皿によって、下方のパウダー収容部と、上方の化粧用具収容部とに分割され、
前記容器本体の側面の上端に、前記蓋の下面と密着するリング状のシール部が取り付けられており、
前記シール部は弾性を有し、前記容器本体の内側に向かって上方に傾斜するように延伸された鍔部、および、前記容器本体の側面の上端に設けられた第１係合部と係合する第２係合部を有し、
前記シール部は前記容器本体の側面の内側面と当接する円筒部を有し、前記円筒部の上端の外側に前記第２係合部が設けられ、前記鍔部は、前記円筒部の上端から内側に向かって上方に突出するように形成されており、前記蓋を閉じると、前記鍔部の先端は前記蓋の下面と当接して下方に変形し、
前記中皿は底面および側面を有し、前記シール部の円筒部の下端と、前記中皿の側面の上端が互いに接続され、前記シール部と前記中皿が一体形成されていることを特徴とするパウダー容器。
【請求項３】
側面および底面を有する容器本体、前記容器本体内に配置された、複数の孔が形成された中皿、および、蓋から構成されるパウダー容器であって、
前記容器本体の内部は前記中皿によって、下方のパウダー収容部と、上方の化粧用具収容部とに分割され、
前記容器本体の側面の上端に、前記蓋の下面と密着するリング状のシール部が取り付けられており、
前記蓋を閉じると、前記鍔部の先端は前記蓋の下面と当接して下方に変形し、
前記シール部は弾性を有し、前記容器本体の内側に向かって上方に傾斜するように延伸された鍔部、および、前記容器本体の側面の上端に設けられた第１係合部と係合する第２係合部を有し、
前記容器本体は、上部本体と下部本体に分割して形成され、前記上部本体と前記下部本体とは互いにネジ係合され、前記上部本体に前記中皿が一体形成され、前記上部本体の側面の上端に設けられた第１係合部に、前記シール部の第２係合部が係合され、
前記蓋を閉じると、前記鍔部の先端は前記蓋の下面と当接して下方に変形することを特徴とするパウダー容器。
【請求項４】
前記蓋は、前記容器本体とネジ係合されていることを特徴とする請求項１〜３のいずれか１項に記載のパウダー容器。
【請求項５】
前記蓋は、前記容器本体とヒンジ係合されていることを特徴とする請求項１〜３のいずれか１項に記載のパウダー容器。
【請求項６】
前記下部本体の側面の上端と前記上部本体との間に、Ｏリングが配置されていることを特徴とする請求項３に記載のパウダー容器。
【請求項７】
前記第１係合部は、前記容器本体の側面の上端に形成された凸部であり、前記第２係合部は、前記凸部が挿入される凹部であることを特徴とする請求項１〜６のいずれか１項に記載のパウダー容器。
【請求項８】
前記第１係合部は、前記容器本体の側面の上端に形成された係合溝であり、前記第２係合部は、前記係合溝に挿入される突起であることを特徴とする請求項１〜６のいずれか１項に記載のパウダー容器。
【発明の詳細な説明】
【技術分野】
【０００１】
本発明は、パウダーおよび化粧用具を収容するパウダー容器に関する。
【背景技術】
【０００２】
パウダー容器は、容器本体の中間部に複数の小さな孔が設けられた中皿を配置し、中皿の下にパウダーを収容し、中皿の上に化粧用具を収容する構造が一般的に用いられている。近年、化粧料を詰め替え可能な化粧料容器が普及しており、パウダー容器もレフィルタイプの容器（特許文献１参照）も存在している。
【０００３】
レフィルタイプのパウダー容器において化粧料を詰め替えするために、中皿を着脱可能な構造を用いる、また、中皿の一部を開閉可能な構造を用いることで、化粧料を詰め替え可能とした容器が用いられている。
【先行技術文献】
【特許文献】
【０００４】
【特許文献１】特許４８０４０５３号公報
【発明の概要】
【発明が解決しようとする課題】
【０００５】
しかしながら、従来のパウダー容器は、蓋を開くと中皿の上に載せられた化粧用具の少なくとも上面が露出した状態、場合によっては塗布具の上半分が露出した状態となり、蓋を開けている時に、パウダー容器が傾いて化粧用具が外に落ちるという問題がある。また、蓋を開く時に化粧用具の周囲と容器本体の内側面との間に生じた隙間からパウダーが飛散するという問題がある。特に、レフィルタイプのパウダー容器において詰め替え時に化粧用具が脱落する、あるいは、パウダーが飛散するという問題が生じ易い。
【０００６】
そこで、本発明は従来のパウダー容器の問題を解決するために、化粧用具の脱落を防止し、かつ、パウダーの飛散を防止するパウダー容器を提供することを目的とする。
【課題を解決するための手段】
【０００７】
本発明のパウダー容器は、側面および底面を有する容器本体、前記容器本体内に配置された、複数の孔が形成された中皿、および、蓋から構成されるパウダー容器であって、前記容器本体の内部は前記中皿によって、下方のパウダー収容部と、上方の化粧用具収容部とに分割され、前記容器本体の側面の上端に、前記蓋の下面と密着するリング状のシール部が取り付けられており、前記シール部は弾性を有し、前記容器本体の内側に向かって上方に傾斜するように延伸された鍔部、および、前記容器本体の側面の上端に設けられた第１係合部と係合する第２係合部を有することを特徴とする。
【０００８】
前記シール部は前記容器本体の側面の内側面と当接する円筒部を有し、前記円筒部の上端の外側に前記第２係合部が設けられ、前記鍔部は、前記円筒部の上端から内側へと突出するように形成されており、前記中皿は底面および側面を有し、前記容器本体内において前記シール部の円筒部よりも下方に配置されており、さらに、前記シール部の円筒部の下端と、前記中皿の側面の上端が互いに接続され、前記シール部と前記中皿を一体形成とすることも可能である。
【０００９】
前記蓋は、前記容器本体とネジ係合されている、あるいは、前記容器本体とヒンジ係合されている。
【００１０】
前記容器本体は、下部本体と上部本体に分割して形成され、前記上部本体と前記下部本体とは互いにネジ係合され、前記上部本体に前記中皿が一体形成され、前記上部本体の側面の上端に設けられた第１係合部に、前記シール部の第２係合部が係合されており、さらに、前記下部本体の側面の上端と前記上部本体との間に、Ｏリングを配置することもできる。  
【００１１】
前記第１係合部は、前記容器本体の側面の上端に形成された凸部であり、前記第２係合部は、前記凸部が挿入される凹部である、あるいは、前記第１係合部は、前記容器本体の側面の上端に形成された係合溝であり、前記第２係合部は、前記係合溝に挿入される突起である。
【発明の効果】
【００１２】
本発明のパウダー容器は、側面および底面を有する容器本体、前記容器本体内に配置された、複数の孔が形成された中皿、および、蓋から構成されるパウダー容器であって、前記容器本体の内部は前記中皿によって、下方のパウダー収容部と、上方の化粧用具収容部とに分割され、前記容器本体の側面の上端に、前記蓋の下面と密着するリング状のシール部が取り付けられており、前記シール部は弾性を有し、前記容器本体の内側に向かって上方に傾斜するように延伸された鍔部、および、前記容器本体の側面の上端に設けられた第１係合部と係合する第２係合部を有することによって、前記鍔部が化粧用具の周囲を覆うことで、化粧用具の脱落、および、化粧用具の周囲と容器本体の内側面との間に生じた隙間からのパウダーの飛散を防止することができる。
【００１３】
前記シール部は前記容器本体の側面の内側面と当接する円筒部を有し、前記円筒部の上端の外側に前記第２係合部が設けられ、前記鍔部は、前記円筒部の上端から内側へと突出するように形成されており、前記中皿は底面および側面を有し、前記容器本体内において前記シール部の円筒部よりも下方に配置されており、さらに、前記シール部の円筒部の下端と、前記中皿の側面の上端が互いに接続され、前記シール部と前記中皿を一体形成とすることによって、前記中皿は簡単に着脱可能となり、パウダーの詰め替えを簡単に行うことが可能となり、その際に、化粧用具の脱落、および、パウダーの飛散を防止することができる。
【００１４】
前記容器本体は、下部本体と上部本体に分割して形成され、前記上部本体と前記下部本体とは互いにネジ係合され、前記上部本体に前記中皿が一体形成され、前記上部本体の側面の上端に設けられた第１係合部に、前記シール部の第２係合部が係合されることによって、パウダーの詰め替え作業を、蓋を開けることなく化粧用具を前記上部本体内に収容した状態で行うことが可能となり、詰め替え作業時には、化粧用具の脱落、および、パウダーの飛散を確実に防止することができる。
【図面の簡単な説明】
【００１５】
【図１】第１の実施形態のパウダー容器の蓋を開けた状態の斜視図である。
【図２】第１の実施形態のパウダー容器の断面図である。
【図３】図２のＡ部拡大図である。
【図４】第１の実施形態のパウダー容器を分解した状態の斜視図である。
【図５】第１の実施形態のパウダー容器の蓋を取り外し、化粧用具およびパウダーを収容した状態の断面図である。
【図６】第２の実施形態のパウダー容器の蓋を開けた状態の斜視図である。
【図７】第２の実施形態のパウダー容器の断面図である。
【図８】図７のＢ部拡大図である。
【図９】第２の実施形態のパウダー容器のシール部および中皿を取り外した状態の断面図である。
【図１０】第３の実施形態のパウダー容器の蓋を開けた状態の斜視図である。
【図１１】第３の実施形態のパウダー容器の断面図である。
【図１２】図１１のＣ部拡大図である。
【図１３】第３の実施形態のパウダー容器を分解した状態の斜視図である。
【図１４】第３の実施形態のパウダー容器の上部本体を下部本体から取り外した状態の断面図である。
【発明を実施するための形態】
【００１６】
本発明のパウダー容器について、図を用いて以下に詳細に説明する。図１に示すのが、本発明の第１の実施形態のパウダー容器１の蓋を開けた状態の斜視図であり、図２に示すのが断面図である。
【００１７】
本発明の第１の実施形態のパウダー容器１は、図１，２に示すように、容器本体２、前記容器本体２内に配置された、複数の孔１６が形成された中皿４、および、容器本体２と着脱可能な蓋３から構成され、前記容器本体２の側面６の上端にシール部５が取り付けられている。
【００１８】
図２に示すように、前記容器本体２は円筒形の側面６および円形の底面７を有し、前記側面６の外側の上半分に、前記蓋３との係合に用いられるネジ８が形成されている。そして、図２，４に示すように、前記容器本体２の側面６の内側に段差９が形成されており、前記段差９に前記中皿４の突出部１７が載せられる。図２に示すように、前記容器本体２の内部は、前記中皿４によって、下方のパウダー収容部１０と上方の化粧用具収容部１１に分割される。さらに、前記容器本体２は、前記容器本体２の側面６の上端に形成された凸部である第１係合部１２を有し、図３に示すように、前記第１係合部１２は凸部の外周面に第１係合突起１３がさらに形成されている。
【００１９】
図２，３に示すように、前記蓋３の内側面には、ネジ２２が形成されており、前記ネジ２２が前記容器本体２のネジ８と係合することで、前記蓋３は前記容器本体２に着脱可能に固定される。前記蓋３の下面に鏡を設けることも可能である。
【００２０】
図１，２に示すように、前記中皿４は円筒形の側面１４および円形の底面１５を有し、前記底面１５に複数の孔１６が形成されており、前記孔１６をパウダーが通過する。そして、前記中皿４の側面１４の上端には外側に突出する突出部１７が形成されている。図２に示すように、前記中皿４は、前記突出部１７が前記容器本体２の側面６の段差９に載せられ、そして、前記側面１４の外側が前記容器本体２の側面６の内側と密接することにより、前記中皿４は前記容器本体２に固定されている。そして、前記中皿４は、前記容器本体２内において、前記シール部５の下方に配置されている。
【００２１】
前記シール部５は弾性材料によって形成され、図１，２，３，４に示すように、円筒部１８、第２係合部１９、および、鍔部２０から構成される。前記円筒部１８は前記容器本体２内へ挿入され、前記容器本体２の側面６の内側と当接する。前記円筒部１８は前記容器本体２内へ挿入し易くするために、図３に示すように、断面形状を下端に向かって先細り形状としている。図３に示すように、前記第２係合部１９は、前記円筒部１８の上端から外側へと延伸し、下方に折れ曲がり、下方に折れ曲がった部分と、前記円筒部１８の外側面との間の空間が凹部となり、凸部である前記第１係合部１２が挿入される。
【００２２】
さらに、図３に示すように、前記第２係合部１９の下方に折れ曲がった部分の内側面に第２係合突起２１が形成されており、前記第１係合部１２が前記第２係合部１９に挿入された時に、前記第２係合突起２１が前記第１係合突起１３を乗り越えて互いに係合される。これにより、前記シール部５は前記容器本体２に強固に固定された状態となる。
【００２３】
前記鍔部２０は、図２，３，５に示すように、前記円筒部１８の上端から、内側に、かつ、上方に傾斜するように延伸されて形成されている。前記シール部５は、前記鍔部２０が内側に突出していることにより、図５に示すように、前記蓋３を取り外した状態でも、前記化粧用具収容部１１に収容した化粧用具２４の周囲を上から覆い、前記化粧用具２４の上方への移動を抑制することができるので、収容された前記化粧用具２４の飛び出しを防止することができる。また、前記化粧用具２４の周囲に生じる隙間から、パウダー２３が飛散するのを抑制する効果も生じる。
【００２４】
そして、前記シール部５は弾性材料によって一体成形されていることから、前記鍔部２０に力が作用すると、前記鍔部２０は上下に変形する。例えば、図２に示すように、前記蓋３を閉じた状態では、前記鍔部２０の先端は前記蓋３の下面と接した状態で下に押えられており、図５の状態よりも、下方に変形している。これにより、前記蓋３を閉じた時の前記パウダー容器１の密閉度を高めることができる。
【００２５】
また、前記化粧用具２４を前記化粧用具収容部１１から取り出す際に、前記化粧用具２４の周囲によって前記鍔部２０の先端が上に押されると、前記鍔部２０は上方に変形することから、前記化粧用具２４の取り出しを妨げることが無く、前記化粧用具２４をスムーズに取り出すことができる。
【００２６】
前記容器本体２内において、前記中皿４は、前記シール部５の下方に配置されており、前記シール部５の円筒部１８の下端の下方に、前記中皿４の突出部１７が位置することから、前記中皿４と前記容器本体２との係合が解除されて前記中皿４が外れることはない。
【００２７】
前記パウダー容器１において、パウダー２３の詰め替えを行う場合、まずは前記シール部５を前記容器本体２から取り外す。次に、前記中皿４を取り外すと、図４に示すように、前記容器本体２内のパウダー収容部１０が開放され、簡単にパウダー２３の詰め替えを行うことができる。
【００２８】
前記第１係合部１２と前記第２係合部１９との係合構造は他の構造を用いることも可能である。また、前記容器本体２と前記蓋３との係合構造についても、ネジ係合以外の構造を用いることも可能である。また、前記蓋３の下面に鏡を設けることも可能である。
【００２９】
本発明のパウダー容器１は、鍔部２０を有するシール部を設けることで、密閉度を高め、化粧用具２４の飛び出しを防止し、さらに、パウダー２３の飛散を抑制することが可能となる。
【００３０】
次に、第２の実施形態のパウダー容器３１について図面を用いて説明する。第２の実施形態のパウダー容器３１は、第１の実施形態のパウダー容器１の中皿４とシール部５とを弾性材料によって一体成形したものである。
【００３１】
第２の実施形態のパウダー容器３１は、図６，７に示すように、容器本体３２、前記容器本体３２内に配置された、複数の孔３９が形成された中皿３４、および、容器本体３２と着脱可能な蓋３３から構成され、前記容器本体３２の側面３６の上端にシール部３５が取り付けられている。
【００３２】
図６，７に示すように、前記容器本体３２は円筒形の側面３６および円形の底面３７を有し、前記側面３６の外側に、前記蓋３３との係合に用いられるネジ３８が形成されており、前記蓋３３の内側面のネジ４８と係合する。図７に示すように、前記容器本体３２の内部は、前記中皿３４によって、下方のパウダー収容部４０と上方の化粧用具収容部４１に分割される。そして、前記容器本体３２は、前記容器本体３２の側面３６の上端に形成された凸部である第１係合部４２を有し、図８に示すように、前記第１係合部４２は凸部の外周面に第１係合突起４３がさらに形成されている。
【００３３】
前記シール部３５と前記中皿３４とは弾性材料によって一体形成されており、図７，８に示すように、前記シール部３５は、円筒部４４、第２係合部４５、および、鍔部４６から構成され、前記円筒部４４の下端に、複数の孔３９が形成された円板形状の中皿３４が接続されている。図８に示すように、前記第２係合部４５は、前記円筒部４４の上端から外側へと延伸し、その後下方に折れ曲がり、下方に折れ曲がった部分と、前記円筒部４４の外側面との間の空間が凹部となり、凸部である前記第１係合部４２が挿入される。
【００３４】
さらに、図８に示すように、前記第２係合部４５の下方に折れ曲がった部分の内側面には第２係合突起４７が形成されており、前記第１係合部４２が前記第２係合部４５に挿入された時に、前記第２係合突起４７が前記第１係合突起４３を乗り越えて互いに係合される。これにより、前記シール部３５は前記容器本体３２に強固に固定された状態となる。前記鍔部４６は、図８，９に示すように、前記円筒部４４の上端から、内側に、かつ、上方に傾斜するように延伸されて形成されており、上下に変形可能となっている。
【００３５】
図７に示すように、前記蓋３３の内側面には、ネジ４８が形成されており、前記ネジ４８が前記容器本体３２のネジ３８と係合することで、前記蓋３３は前記容器本体３２に着脱可能に固定される。
【００３６】
本実施形態のパウダー容器３１は、第１の実施形態のパウダー容器１と同様に、前記シール部３５の鍔部４６によって、前記化粧用具収容部４１に収容した化粧用具４９の周囲を上から覆い、上方への移動を抑制することで収容された化粧用具４９の飛び出しを防止することができる。また、化粧用具４９の周囲に生じる隙間から、パウダーが飛散するのを抑制する効果も生じ、さらに、密閉度を高めることできる。
【００３７】
さらに、本実施形態のパウダー容器３１は、前記シール部３５と前記中皿３４とが一体形成されていることから、パウダーの詰め替え時にさらなる効果を生じる。前記パウダー容器３１は、パウダーの詰め替えを行うために、図９に示すように、前記シール部３５と前記中皿３４を同時に前記容器本体３２から取り外すことになる。前記シール部３５と前記中皿３４の取り外し作業は、前記化粧用具４９を前記中皿３４の上に載せた状態で行うことができる。この時、前記化粧用具４９の周囲は前記シール部３５の鍔部４６によって覆われていることから、前記化粧用具４９の脱落は防止される。そして、パウダーの詰め替えが完了した後に行う前記シール部３５と前記中皿３４の前記容器本体３２への取り付け作業も、前記化粧用具４９を前記中皿３４に載せたままの状態で行うことができる。
【００３８】
このように、本実施形態のパウダー容器３１は、パウダーの詰め替え作業を、前記化粧用具４９を前記中皿３４に載せたままの状態で行うことができることから、前記化粧用具４９に付着しているパウダーが周囲に飛散するのを防止し、また、前記化粧用具４９の使用面に汚れが付着するのを防止することもできる。
【００３９】
次に、第３の実施形態のパウダー容器５１について、図を用いて以下に詳細に説明する。図１０に示すのが、本発明の第３の実施形態のパウダー容器５１の蓋を開けた状態の斜視図であり、図１１に示すのが断面図である。
【００４０】
本発明の第３の実施形態のパウダー容器５１は、図１０，１１に示すように、容器本体５２、前記容器本体５２内に配置された、複数の孔７０が形成された中皿５４、および、容器本体５２に対して開閉可能に取り付けられている蓋５３から構成され、前記容器本体５２の側面の上端にシール部５５が取り付けられている。
【００４１】
前記容器本体５２は、図１１，１３に示すように、上部本体５６と下部本体５７との上下２つに分割可能に形成されており、前記上部本体５６と前記下部本体５７とは互いにネジ係合によって着脱可能に係合されている。図１１，１３に示すように、前記上部本体５６は円筒形状の上部側面５８を有し、前記上部側面５８の内周面にネジ５９が形成されている。図１３に示すように、前記下部本体５７は円筒形状の下部側面６０および円形の底面６１を有し、前記下部側面６０の外周面に、前記上部本体５６のネジ５９と係合するネジ６２が形成されている。前記下部本体５７の内部が、パウダーを収容するパウダー収容部６３となる。
【００４２】
さらに、前記上部本体５６は、前記上部側面５８の上端に設けられたヒンジ６５を介して前記蓋５３がヒンジ係合されており、前記上部側面５８の前記ヒンジ６５と対向する箇所に、前記蓋５３の凸部６６が係合する凸部６７が形成されている。前記凸部６６と前記凸部６７との係合によって、前記蓋５３は前記容器本体５２の上部本体５６に固定される。また、前記蓋５３を開けやすくするために、前記上部本体５６は、図１０，１１に示すように、前記凸部６７の下方の前記上部側面５８の外周面に切り欠き７９を設けている。
【００４３】
そして、前記上部本体５６は、図１１に示すように、内部に前記中皿５４が一体形成されている。前記中皿５４は、図１０，１１，１３に示すように、円筒形の側面６８および円形の底面６９を有し、前記底面６９に複数の孔７０が形成されており、前記孔７０をパウダーが通過する。そして、前記側面６８の上部と、前記上部本体５６の上部側面５８の上部とが互いに一体に接続されており、これにより、前記上部本体５６と前記中皿５４とは一体となっている。前記中皿５４の内部が化粧用具収容部６４となる。
【００４４】
図１１，１２に示すように、前記中皿５４の側面６８の下部の外周面と前記上部本体５６の上部側面５８の内周面との間に空間が形成されており、前記空間に前記下部本体５７の下部側面６０のネジ６２が形成された部分が挿入されて、前記上部本体５６の上部側面５８の内周面に形成された前記ネジ５９と、前記下部本体５７の下部側面６０の外周面に形成された前記ネジ６２とがネジ係合される。
【００４５】
図１１に示すように、前記上部本体５６の上部側面５８の上端に第１係合部７１が設けられている。本実施形態では、前記第１係合部７１として、図１３に示すように、前記上部側面５８の上端に形成された環状の係合溝を用いる。
【００４６】
前記シール部５５は弾性材料によって形成され、図１３に示すように、平坦なリング状の部分７３、第２係合部７４、および、鍔部７５から構成される。前記第２係合部７４は、前記リング状の部分７３の下面から下方に突出した突起の形状で形成されている。図１２，１３に示すように、前記第２係合部７４である突起の外周面には水平方向に突出するリブ７８が上下２段に形成されている。前記第２係合部７４である突起が前記第１係合部７１の環状の溝に上から挿入されて嵌合されることで、前記シール部５５は、前記容器本体５２の上部本体５６に固定される。この時、図１２に示すように、前記第２係合部７４のリブ７８が前記第１係合部７１の環状の溝の内面と接することで前記シール部５５の固定がより強固に行われる。
【００４７】
前記鍔部７５は、図１１，１２に示すように、前記リング状の部分７３の内周縁から、内側に、かつ、上方に傾斜するように延伸されて形成されており、上下に変形可能となっている。
【００４８】
前記蓋５３は、前記ヒンジ６５によって前記容器本体５２の上部本体５６に開閉可能に取り付けられており、下面には鏡７６が配置されている。前記蓋５３を閉じた際に、図１１に示すように、前記鏡７６に前記シール部５５の鍔部７５が当接し、前記パウダー容器５１内は密閉される。
【００４９】
図１１，１２に示すように、前記上部本体５６と前記下部本体５７とをネジ係合させた際に、前記下部本体５７の下部側面６０の上端と前記上部本体５６との間に生じる隙間にＯリング７７を配置する。前記Ｏリング７７によって、前記下部本体５７の内部のパウダー収容部６３の密閉度を高めることができる。
【００５０】
本実施形態のパウダー容器５１は、他の実施形態と同様に、前記シール部５５の鍔部７５によって、前記化粧用具収容部６４に収容した化粧用具７２の周囲を上から覆い、上方への移動を抑制することで収容された化粧用具７２の飛び出しを防止することができる。また、化粧用具７２の周囲に生じる隙間から、パウダーが飛散するのを抑制する効果も生じ、さらに、密閉度を高めることできる。特に、本実施形態のパウダー容器５１のように、蓋５３に鏡７６を設けている場合、パウダーの飛散によって前記鏡７６が汚れる場合があるが、前記鍔７５によってパウダーの飛散を抑制することで、前記鏡７６の汚れも防止することができる。
【００５１】
さらに、本実施形態のパウダー容器５１は、前記容器本体５２を上部本体５６と下部本体５７とに分割したことにより、パウダーの詰め替え時の作業性を向上させることができる。前記パウダー容器５１は、パウダーの詰め替えを行うために、前記上部本体５６を前記下部本体５７から取り外す。この時、図１４に示すように、前記蓋５３は閉じた状態であり、前記化粧用具７２は前記化粧用具収容部６４に収容した状態のままである。そのため、前記パウダー容器５１は、前記化粧用具７２を外部に露出することなく、パウダーの詰め替えを行うことができるようになる。
【００５２】
このように本実施形態のパウダー容器５１のパウダーの詰め替え作業は、前記容器本体５２からの前記中皿５４を取り外す作業が不要となり、前記上部本体５６と前記下部本体５７とのネジ係合の解除、および、ネジ係合を行うだけで簡単に行うことができるようになる。また、ネジ係合は、前記上部本体５６を回すだけの動作で済むことから、詰め替えたパウダーを飛散させることなく、簡単に行うことができるようになる。
【００５３】
以上のように、本発明のパウダー容器は、シール部に設けた鍔部によって、化粧用具の飛び出しを防止し、化粧用具の周囲に生じる隙間からのパウダーの飛散を抑制し、さらに、密閉度を高めることできる、そして、本発明のパウダー容器は、一部の部品を一体成形または分割することにより、パウダーの詰め替え作業の作業性を向上させることができる。
【符号の説明】
【００５４】
１，３１，５１    パウダー容器
２，３２，５２    容器本体
３，３３，５３    蓋
４，３４，５４    中皿
５，３５，５５    シール部
６，３６，        側面
７，３７，        底面
８，３８          ネジ
９                段差
１０，４０，６３  パウダー収容部
１１，４１，６４  化粧用具収容部
１２，４２，７１  第１係合部
１３，４３        第１係合突起
１４，６８        側面
１５，６９        底面
１６，３９，７０  孔
１７              突出部
１８，４４        円筒部
１９，４５，７４  第２係合部
２０，４６，７５  鍔部
２１，４７        第２係合突起
２２，４８        ネジ
２３              パウダー
２４，４９，７２  化粧用具
５６              上部本体
５７              下部本体
５８              上部側面
５９              ネジ
６０              下部側面
６１              底面
６２              ネジ
６５              ヒンジ
６６，６７        凸部
７３              リング状の部分
７６              鏡
７７              Ｏリング
７８              リブ
７９              切り欠き
【図１】
0006655324.tif 000002
【図２】
0006655324.tif 000003
【図３】
0006655324.tif 000004
【図４】
0006655324.tif 000005
【図５】
0006655324.tif 000006
【図６】
0006655324.tif 000007
【図７】
0006655324.tif 000008
【図８】
0006655324.tif 000009
【図９】
0006655324.tif 000010
【図１０】
0006655324.tif 000011
【図１１】
0006655324.tif 000012
【図１２】
0006655324.tif 000013
【図１３】
0006655324.tif 000014
【図１４】
0006655324.tif 000015